【事件の表示】
　特願２０００−１０７４５６「遊技機」拒絶査定不服審判事件〔平成１３年１０月１６日出願公開、特開２００１−２８６６４６〕について、次のとおり審決する。
【結　論】
　本件審判の請求は、成り立たない。
【理　由】
１．手続の経緯
　本願は、平成１２年４月１０日の出願であって、平成１６年６月７日付の拒絶理由通知に対して同年７月２０日付で手続補正がなされ、これに対し、同年１０月２９日付で拒絶査定がなされ、これに対し、同年１１月１７日に拒絶査定不服の審判請求がなされるとともに、同日付で手続補正がなされたものである。
　
２．平成１６年１１月１７日付の手続補正についての補正却下の決定
　［補正却下の決定の結論］
　平成１６年１１月１７日付の手続補正（以下、「本件補正」という。）を却下する。
　
　［理由］
【１】本件補正の概略
　本件補正により、特許請求の範囲の請求項１は、平成１６年７月２０日付手続補正により補正された特許請求の範囲の請求項１に記載された
　「【請求項１】　遊技機全体の動作制御を行なう主制御手段と、この主制御手段から送信される複数の制御コマンドで成る制御コマンド群を受信してこれに応答した周辺装置の動作制御を行なう副制御手段と、を備えた遊技機において、
　前記主制御手段から送信される制御コマンド群を一方向通信で前記副制御手段に供給すると共に、前記主制御手段側にも制御コマンド群を供給する、前記副制御手段とは独立した基板で構成された情報分配手段を備え、
　前記主制御手段は、
　前記情報分配手段から供給された制御コマンド群と前記主制御手段自身が先に送信した制御コマンド群とが一致するか否かを判定する判定手段と、前記判定手段の判定結果が一致しない旨の判定結果である場合、所定の異常時処理を行う異常時処理手段と、を備えたことを特徴とする遊技機。」から、
　
　「【請求項１】　遊技機全体の動作制御を行なう主制御手段と、この主制御手段から送信される複数の制御コマンドで成る制御コマンド群を受信してこれに応答した周辺装置の動作制御を行なう複数の副制御手段と、を備えた遊技機において、
　前記主制御手段から送信される制御コマンド群を一方向通信で前記複数の副制御手段のうちいずれか１つの前記副制御手段に供給すると共に、前記主制御手段側にも制御コマンド群を供給する、前記副制御手段とは独立した基板で構成された情報分配手段を備え、
　前記主制御手段は、
　前記情報分配手段から供給された制御コマンド群と前記主制御手段自身が先に送信した制御コマンド群とが一致するか否かを判定する判定手段と、前記判定手段の判定結果が一致しない旨の判定結果である場合、所定の異常時処理として前記先に送信した制御コマンド群の再送を行う異常時処理手段と、を備えたことを特徴とする遊技機。」
へと補正された。
　
【２】補正の適否
　本件補正により特許請求の範囲の請求項１にした補正は、発明を特定するために必要な事項である「副制御手段」について、「
複数の
「制御コマンド群を一方向通信で前記副制御手段に供給する」について、「制御コマンド群を一方向通信で
前記複数の副制御手段のうちいずれか１つの
として前記先に送信した制御コマンド群の再送
　そこで、本件補正後の前記請求項１に記載された発明（以下、「本願補正発明」という。）が特許出願の際独立して特許を受けることができるものであるか（平成１８年改正前特許法第１７条の２第５項第２号において準用する同法第１２６条第５項の規定に適合するか）について以下に検討する。
　
【３】特許法第２９条の２の適用 
　［１］先願発明
　原査定の拒絶の理由に引用された特願平１０−２９６５９７号＜特開２０００−１１６９２１号＞（以下、「先願」という。）の願書に最初に添付した明細書には、図面とともに、以下の事項が記載されている。 
　
　ア．「【０００６】
　　【発明が解決しようとする課題】
　上述した従来の遊技制御装置においては、次のような課題があった。
  主基板から副基板にコマンドを連続して送信する場合において、副基板側でコマンドを正常に受信することができずに動作しない場合であっても、主基板側ではその異常を検出できずに順次コマンドを送信し続けてしまう可能性があった。
　【０００７】
　本発明は、上記課題にかんがみてなされたもので、入賞口への遊技球の入賞に応じて遊技内容を制御しつつ送信データを送信する主基板と、伝送路を介してこの主基板から同送信データを受信して対応する処理を実行する副基板とを備える場合において、主基板と副基板の間の通信エラーなどを主基板側で検出してより確実に遊技機の動作を制御することが可能な遊技制御装置の提供を目的とする。」
　イ．「【０００９】
　・・・遊技機に適用されることを前提としており、入賞口に遊技球が入賞すると、主基板がその入賞に応じて遊技内容を制御しつつ、同主基板側の送信信号発生手段が送信データに対応する電気信号を発生して伝送路に供給する。すると、副基板が信号入力手段を介して同伝送路から上記送信データを受信して対応する処理を実行する。・・・」
　ウ．「【００１７】
　・・・主基板４０には、ＣＰＵ４０ａやＲＯＭ４０ｂやＲＡＭ４０ｃなどが備えられており、スタートチャッカースイッチ３３ａにて遊技球の入賞が検出されると、ＣＰＵ４０ａがその入賞タイミングで所定の乱数を取得してＲＡＭ４０ｃに格納する。より具体的には、ＣＰＵ４０ａはＲＯＭ４０ｂやＲＡＭ４０ｃを適宜使用しつつ、所定のクロックに基づいて図４などに示す大当たり判定処理を実行しており、スタートチャッカースイッチ３３ａにて入賞が検出されると割り込みで乱数を取得し、最大で四個までの乱数をＲＡＭ４０ｃに格納する。・・・
　【００１８】
　上記のようにして取得された乱数がＲＡＭ４０ｃに格納されると、ＣＰＵ４０ａはステップＳ１１０にて検知し、ステップＳ１２０でＲＡＭ４０ｃに格納された乱数を先入れ先出しの原理に従って取り出すとともに、所定のコマンドデータを液晶表示ユニット３４に送信する。この液晶表示ユニット３４は、・・・、遊技盤３０の背面側に延在してケーブル５０の両端に形成されたコネクタ５１，５１によって主基板４０と接続されており、このケーブル５０を介して上記コマンドデータが送信される。すると、液晶表示ユニット３４に備えられた表示制御基板３４ｂが同コマンドデータを受信し、液晶パネル３４ａの表示内容を変動させる。・・・
　【００１９】
　ステップＳ１３０では取り出した乱数に基づいて大当たりか否かを判定し、大当たりと判定した場合には同様にコマンドデータを送出することにより、図柄を揃えて停止させるように表示制御基板３４ｂに指示し、図柄の停止後に電動式入賞口であるアタッカー３５を開放するなどの大当たり処理を実行する。他方、ステップＳ１３０において大当たりではないと判定した場合、ステップＳ１６０にて同様にコマンドデータを送出することにより、図柄を揃えないで停止させるように表示制御基板３４ｂに指示する。・・・」
　エ．「【００２０】
　ところで、主基板４０と表示制御基板３４ｂなどの副基板との間では、主基板４０側からの一方向通信しか認められていない。・・・そこで、本実施形態においては、主基板４０と表示制御基板３４ｂとを図５に示すような構成で接続し、これによって両者間の通信エラーなどを主基板４０側で検知するようにしてある。」
　オ．「【００２２】
　かかる構成とすることにより、主基板４０側の入出力ポート４０ｄを介して上記コマンドデータに対応したパルス信号が出力されると、・・・従って、表示制御基板３４ｂ側の入力ポート３４ｂ２には、主基板４０側の入出力ポート４０ｄから出力されたパルス信号と同一波形のパルス信号、すなわち、コマンドデータが供給されることになり、ＣＰＵ３４ｂ３が同コマンドデータに基づいてＲＯＭ３４ｂ４やＲＡＭ３４ｂ５などを適宜使用しつつ、上記のようにして図柄の表示制御を行う。・・・」
　カ．「【００２３】
　・・・入力パルス信号と出力パルス信号とが一致しているか否かを検知することにより、コマンドデータが表示制御基板３４ｂ側に異常送信されていないか否かを間接的に判断することが可能となる。」
　キ．「【００２４】
　・・・同図において、まずステップＳ２１０では所定の送信ポインタに「０」をセットする。より詳しくは、ここで送信しようとするコマンドデータは、図７に示すように複数のバイトデータ（ｄａｔａＮ；Ｎ＝０〜９）で構成されており、送信ポインタを利用して各バイトデータ単位にコマンドデータを送信することを前提としている。むろん、送信ポインタにセットする値は各バイトデータに対応しており、ステップＳ２１０の処理は先頭のバイトデータを送信対象データとしていることに他ならない。
　【００２５】
　次なるステップＳ２２０では送信ポインタにセットされたバイトデータを送信する。・・・ステップＳ２３０においては、上述したようにして入出力ポート４０ｄからの入力パルス信号に基づいてバイトデータが異常送信されたか否かを判断する。・・・　　
　【００２６】
　一方、ステップＳ２３０にて異常送信であると判断した場合には、通信エラーが発生したものとしてステップＳ２６０で所定の通信エラー処理を実行して処理を中断する。むろん、この通信エラー処理としては、各種形態のものを適用可能であって特に限定されない。その一例として、エラー音を発して遊技者に通知するとともに、遊技機１０の動作を停止させるなどの処理を適用することができる。
　【００２７】
　このように、本実施形態によれば、コマンドデータ送信時の通信エラーを主基板４０側で検知することができるため、通信エラー発生時に主基板４０側で遊技機１０の動作を強制的に停止させるなどの適切なエラー処理を行うことができ、より確実にパチンコ遊技機の動作を制御することが可能となる。
  以上のように、本実施形態においては、主基板４０側のＣＰＵ４０ａがＲＯＭ４０ｂやＲＡＭ４０ｃを適宜使用しつつ、入出力ポート４０ｄを介して信号伝送路の電圧レベルに応じた入力パルス信号を検知し、同入力パルス信号と出力パルス信号とを比較することにより、コマンドデータが異常送信されていないか否かを検知しており、これらの回路構成が全体として導通判断手段および伝送判定手段を構成する。」
　ク．「【００２９】
　また、本実施形態においては、主基板４０側と表示制御基板３４ｂ側で一対のフォトカプラ４０ｅ，３４ｂ１を用いる構成としてあるが、むろん、かかる構成に限られることはなく、適宜変更可能である。・・・また、図１０に示すように、主基板４０側にて入出力ポート４０ｄからのパルス信号出力路に抵抗Ｒ６を介在させるとともに、抵抗Ｒ６の後段側にて電線路を分岐させて入出力ポート４０ｄに折り返すように接続してもよい。」
　ケ．図１０には、主基板４０には、ＣＰＵ４０ａとＲＯＭ４０ｂ、ＲＡＭ４０ｃ並びに入出力ポート４０ｄとが備えられ、表示制御基板３４ｂには、ＣＰＵ３４ｂ３とＲＯＭ３４ｂ４、ＲＡＭ３４ｂ５並びに入力ポート３４ｂ２とが備えられていることが記載されると共に、主基板４０と表示制御基板３４ｂとを接続する構成について、主基板４０側にて入出力ポート４０ｄからのパルス信号出力路に抵抗Ｒ６を介在させるとともに、抵抗Ｒ６の後段側にて電線路を分岐させて入出力ポート４０ｄに折り返すように接続され、前記分岐した位置から延びるパルス信号出力路は表示制御基板３４ｂ側のフォトカプラ３４ｂ１を構成する発光ダイオードＰＤ２のアノードに接続してあり、同発光ダイオードＰＤ２のカソード側は共通帰線を利用して接地してあり、また、フォトカプラ３４ｂ１を構成するフォトトランジスタＰＴ２のコレクタ端子側に抵抗Ｒ３を介して電圧（＋Ｖ）を供給し、エミッタ端子側を入力ポート３４ｂ２に接続するとともに、抵抗Ｒ４を介してプルダウン接続していること、及び、入出力ポート４０ｄに折り返すように電線路を分岐した分岐点は主基板４０上にあることが記載されている。
　
　上記の記載（ア．〜ケ．）及び図面によれば、先願の願書に最初に添付された明細書又は図面（以下、「先願当初明細書等」という。）には、以下の発明が記載されていると認められる。
　「主基板４０には、ＣＰＵ４０ａやＲＯＭ４０ｂやＲＡＭ４０ｃなどが備えられており、遊技球の入賞が検出されると、主基板４０のＣＰＵ４０ａはＲＯＭ４０ｂやＲＡＭ４０ｃを適宜使用しつつ、大当たり判定処理を実行し、入賞が検出されると割り込みで乱数を取得し、上記のようにして取得された乱数がＲＡＭ４０ｃに格納されると、主基板４０のＣＰＵ４０ａから図柄変動させるコマンドデータが送信され、液晶表示ユニット３４に備えられた表示制御基板３４ｂが同コマンドデータを受信し、液晶パネル３４ａの表示内容を変動させるとともに、取り出した乱数に基づいて大当たりか否かを判定し、大当たりと判定した場合には同様に図柄を揃えて停止させるコマンドデータを送出することにより、図柄を揃えて停止させるように表示制御基板３４ｂに指示し、図柄の停止後に電動式入賞口であるアタッカー３５を開放するなどの大当たり処理を実行し、大当たりではないと判定した場合、同様に図柄を揃えないで停止させるコマンドデータを送出することにより、図柄を揃えないで停止させるように表示制御基板３４ｂに指示するものであり、主基板４０のＣＰＵ４０ａが送信する所定のコマンドデータを受信して、表示制御基板３４ｂのＣＰＵ３４ｂ３が同コマンドデータに基づいてＲＯＭ３４ｂ４やＲＡＭ３４ｂ５などを適宜使用しつつ液晶パネル３４ａの図柄の表示制御を行う表示制御基板３４ｂと、を備えた遊技機であって、
　前記主基板４０と前記表示制御基板３４ｂなどの副基板との間のコマンドデータは、主基板４０側からの一方向通信とし、主基板４０と表示制御基板３４ｂとは、主基板４０側にて入出力ポート４０ｄからのパルス信号出力路に抵抗Ｒ６を介在させるとともに、抵抗Ｒ６の後段側にて電線路を分岐させて入出力ポート４０ｄに折り返すように接続され、前記分岐した分岐点から延びるパルス信号出力路は表示制御基板３４ｂ側のフォトカプラ３４ｂ１を構成する発光ダイオードＰＤ２のアノードに接続してあり、同発光ダイオードＰＤ２のカソード側は共通帰線を利用して接地してあり、また、フォトカプラ３４ｂ１を構成するフォトトランジスタＰＴ２のコレクタ端子側に抵抗Ｒ３を介して電圧（＋Ｖ）を供給し、エミッタ端子側を入力ポート３４ｂ２に接続するとともに、抵抗Ｒ４を介してプルダウン接続されており、入出力ポート４０ｄに折り返すように電線路を分岐した前記分岐点は主基板４０上にあって、主基板４０側の入出力ポート４０ｄを介して上記コマンドデータに対応したパルス信号が出力され、表示制御基板３４ｂ側の入力ポート３４ｂ２には、主基板４０側の入出力ポート４０ｄから出力されたパルス信号と同一波形のパルス信号、すなわち、コマンドデータが供給されると共に、前記分岐点から折り返された入力パルス信号が主基板４０の入出力ポート４０ｄに供給され、前記主基板４０のＣＰＵ４０ａは、主基板４０のＲＯＭ４０ｂやＲＡＭ４０ｃを適宜使用しつつ、前記主基板４０側の抵抗Ｒ６の後段側の前記分岐点にて電線路を分岐させて入出力ポート４０ｄに折り返された入力パルス信号と、主基板４０側の入出力ポート４０ｄから出力された出力パルス信号とが一致するか否かを検知することによりコマンドデータが異常送信されていないか否かを検知する伝送判定手段と、前記伝送判定手段が異常送信であると判断した場合、所定の通信エラー処理としてパチンコ遊技機１０の動作を強制的に停止させるなどの各種形態の処理を実行する手段と、を備えたパチンコ遊技機。」（以下、「先願発明」という。）
　
　［２］対比
　先願発明は、上記［１］に示した如くのものである。
　本願補正発明と先願発明とを対比すると、先願発明における「パチンコ遊技機」は本願補正発明の「遊技機」に対応し、同様に「液晶パネル３４ａ」は「周辺装置」に対応しており、さらに先願発明について以下のことがいえる。
　（i）先願発明は、「主基板４０」に、「ＣＰＵ４０ａやＲＯＭ４０ｂやＲＡＭ４０ｃなどが備えられており、遊技球の入賞が検出されると」、大当たり判定処理を「ＣＰＵ４０ａはＲＯＭ４０ｂやＲＡＭ４０ｃを適宜使用しつつ」実行するものである。
　そして、遊技球の入賞検出に伴い大当たり判定処理の実行することは、遊技機のゲーム進行を決定付ける主要な要素であって、上記大当たり判定処理の実行等の制御を行う制御手段が主制御手段であること、及び、主制御手段が、光・音等の各種演出の制御や入賞した際の払出しの制御等、遊技機の全体にわたる各部の動作制御を司ることは、遊技機分野における従来周知の技術であるから、先願発明が、大当たり処理を実行するための構成である「主基板４０」の「ＣＰＵ４０ａやＲＯＭ４０ｂやＲＡＭ４０ｃ」は、本願補正発明の「主制御手段」に対応し、また、上記のように、遊技機の主制御手段が遊技機の全体にわたる各部の動作制御を司ることは、遊技機分野における従来周知の技術であるから、先願発明は、本願補正発明を特定する「遊技機全体の動作制御を行なう主制御手段」の事項に対応する構成を実質的に備えているということができる。
　（ii−1）先願発明は、液晶表示ユニット３４の図柄の表示制御に関し、「入賞が検出されると割り込みで乱数を取得」し、「取得された乱数がＲＡＭ４０ｃに格納」されるとＣＰＵ４０ａは、「所定のコマンドデータを液晶表示ユニット３４に送信」（ステップＳ１２０）し、「液晶表示ユニット３４に備えられた表示制御基板３４ｂが同コマンドデータを受信し、液晶パネル３４ａの表示内容を変動」させ、大当たりと判定した場合は、「同様にコマンドデータを送出」（ステップＳ１４０）することにより、「図柄を揃えて停止させるように表示制御基板３４ｂに指示」し、大当たりではないと判定した場合は、「同様にコマンドデータを送出」（ステップＳ１６０）することにより、「図柄を揃えないで停止させるように表示制御基板３４ｂに指示」するものである（上記摘示［１］ウ．）。
　上記［１］ウ．の記載及び図４とを併せると、先願発明の液晶表示ユニット３４の図柄の表示制御は、主基板４０のＣＰＵ４０ａからの図柄変動させるコマンドデータの送信（ステップＳ１２０）と、大当たりと判定されるか否かに応じて、図柄を揃えて停止させるコマンドデータの送信（ステップＳ１４０）又は図柄を揃えないで停止させるコマンドデータの送信（ステップＳ１６０）のいずれか１つ、という２つのコマンドデータの送信の組みにより実行されるものであるから、これら主基板４０のＣＰＵ４０ａから送信される「図柄変動させるコマンドデータ」及び「図柄を揃えて停止させるコマンドデータ」の組み、又は、「図柄変動させるコマンドデータ」及び「図柄を揃えないで停止させるコマンドデータ」の組みはいずれも、本願補正発明を特定する「複数の制御コマンドで成る制御コマンド群」に対応する。
　なお、先願発明は、「コマンドデータ」、「コマンドデータに対応したパルス信号」、「パルス信号」、「入力パルス信号」又は「出力パルス信号」を送受信又は入出力するものであるが、そのいずれも、コマンドデータに対応した電気信号であるパルス信号を意味するものであって、本願補正発明を特定する「制御コマンド」に対応する。
　（ii−2）上記（ii−1）に加え、先願発明が、該コマンドデータの組みを送信する主体は、主基板４０のＣＰＵ４０ａであり、具体的には、「主基板４０側の入出力ポート４０ｄを介して上記コマンドデータに対応したパルス信号が出力」される構成であることから、上記（i）における「主制御手段」についての検討及び図５、図１０とを併せると、先願発明は、該コマンドデータの組みを、「主制御手段（主基板４０のＣＰＵ４０ａやＲＯＭ４０ｂやＲＡＭ４０ｃ）」が送信しているといえる。したがって、先願発明は、本願補正発明を特定する「この主制御手段から送信される」に対応する構成を備えているということができる。
　（ii−3）上記（ii−1）及び（ii−2）に加え、「表示制御基板３４ｂ側の入力ポート３４ｂ２には、主基板４０側の入出力ポート４０ｄから出力されたパルス信号と同一波形のパルス信号、すなわち、コマンドデータが供給されることになり、ＣＰＵ３４ｂ３が同コマンドデータに基づいてＲＯＭ３４ｂ４やＲＡＭ３４ｂ５などを適宜使用しつつ、上記のようにして図柄の表示制御を行う」（上記摘示［１］オ．）との記載から、先願発明の「主制御手段（主基板４０のＣＰＵ４０ａやＲＯＭ４０ｂやＲＡＭ４０ｃ）」から送信される「複数の制御コマンドで成る制御コマンド群」を受信する主体である「表示制御基板３４ｂ」の「ＣＰＵ３４ｂ３やＲＯＭ３４ｂ４やＲＡＭ３４ｂ５」は、本願補正発明の「副制御手段」に対応する。
　（ii−4）上記（ii−1）〜（ii−3）を纏めると、先願発明は、主制御手段から送信される複数の制御コマンドで成る制御コマンド群を受信してこれに応答した周辺装置の動作制御を行なう副制御手段を備えているという限度で本願補正発明の「この主制御手段から送信される複数の制御コマンドで成る制御コマンド群を受信してこれに応答した周辺装置の動作制御を行なう複数の副制御手段」に共通する。
　（iii）「主基板４０と表示制御基板３４ｂなどの副基板との間では、主基板４０側からの一方向通信」（上記摘示［１］エ．）と記載されるが、具体的な送受信を行う主体は、上記（ii−1）〜（ii−3）に記載したとおり、コマンドデータの組みである「複数の制御コマンドで成る制御コマンド群」の送信を行う主体は、「主制御手段（主基板４０のＣＰＵ４０ａやＲＯＭ４０ｂやＲＡＭ４０ｃ）」であり、受信を行う主体は、「副制御手段（表示制御基板３４ｂのＣＰＵ３４ｂ３やＲＯＭ３４ｂ４やＲＡＭ３４ｂ５）」である。
　加えて、先願発明の主基板４０と表示制御基板３４ｂとの接続は、「主基板４０側にて入出力ポート４０ｄからのパルス信号出力路に・・・前記分岐した分岐点から延びるパルス信号出力路は表示制御基板３４ｂ側のフォトカプラ３４ｂ１を構成する発光ダイオードＰＤ２のアノードに接続してあり、同発光ダイオードＰＤ２のカソード側は共通帰線を利用して接地してあり、また、フォトカプラ３４ｂ１を構成するフォトトランジスタＰＴ２のコレクタ端子側に抵抗Ｒ３を介して電圧（＋Ｖ）を供給し、エミッタ端子側を入力ポート３４ｂ２に接続するとともに、抵抗Ｒ４を介してプルダウン接続」されることから、「主基板４０側の入出力ポート４０ｄを介して上記コマンドデータに対応したパルス信号が出力」されると、「表示制御基板３４ｂ側の入力ポート３４ｂ２には、主基板４０側の入出力ポート４０ｄから出力されたパルス信号と同一波形のパルス信号、すなわち、コマンドデータが供給」されることとなるから、先願発明は、前記主制御手段から送信される制御コマンド群を一方向通信で前記副制御手段に供給するという限度で、本願補正発明の「前記主制御手段から送信される制御コマンド群を一方向通信で前記複数の副制御手段のうちいずれか１つの前記副制御手段に供給する」に共通する。
　(iv)先願発明は、「主基板４０側にて入出力ポート４０ｄからのパルス信号出力路に抵抗Ｒ６を介在させるとともに、抵抗Ｒ６の後段側にて電線路を分岐させて入出力ポート４０ｄに折り返すように接続」されることから、コマンドデータの組みを送信するために、主基板４０側の入出力ポート４０ｄを介してコマンドデータに対応したパルス信号が出力されると、前記分岐点から折り返された入力パルス信号が主基板４０の入出力ポート４０ｄに供給されるものであり、「主基板４０側のＣＰＵ４０ａがＲＯＭ４０ｂやＲＡＭ４０ｃを適宜使用しつつ、入出力ポート４０ｄを介して信号伝送路の電圧レベルに応じた入力パルス信号を検知」（上記摘示［１］キ．）との記載から、先願発明は、本願補正発明を特定する「前記主制御手段側にも制御コマンド群を供給する」の事項に対応する構成を備えている。
　そして、先願発明の前記入出力ポート４０ｄからのパルス信号出力路に抵抗Ｒ６を介在させ、その後段にて入出力ポート４０ｄに折り返すように電線路を分岐した分岐点において、表示制御基板３４ｂ側の入力ポート３４ｂ２に出力されるパルス信号と、主基板４０の入出力ポート４０ｄに折り返される入力パルス信号とが分岐するものであって、該分岐点にて制御コマンド群を２方向に分岐させるといえることから、先願発明は、本願補正発明を特定する「情報分配手段」の事項に対応する構成を備えている。
　また、図１０を併せると、先願発明の「情報分配手段（入出力ポート４０ｄに折り返すように電線路を分岐した分岐点）」は、「主制御手段（主基板４０のＣＰＵ４０ａやＲＯＭ４０ｂやＲＡＭ４０ｃ）」を備えた主基板４０上にあって、「副制御手段（表示制御基板３４ｂのＣＰＵ３４ｂ３やＲＯＭ３４ｂ４やＲＡＭ３４ｂ５）」が配置された「表示制御基板３４ｂ」上に設けられるものでないことは明らかであり、しかも、主基板４０は、「副制御手段（表示制御基板３４ｂのＣＰＵ３４ｂ３やＲＯＭ３４ｂ４やＲＡＭ３４ｂ５）」が配置された「表示制御基板３４ｂ」とは明らかに別の、独立した基板であるといえるから、先願発明は、本願補正発明を特定する「前記副制御手段とは独立した基板で構成された情報分配手段」に対応する構成を備えているといえる。
　(v)先願発明の「伝送判定手段」は、「情報分配手段（入出力ポート４０ｄに折り返すように電線路を分岐した分岐点）」から供給された「制御コマンド（入力パルス信号）」と前記「主制御手段（主基板４０のＣＰＵ４０ａやＲＯＭ４０ｂやＲＡＭ４０ｃ）」が先に送信した「制御コマンド（出力パルス信号）」とが一致するかを検知することによりコマンドデータが異常送信されていないか否かを検知するものである。さらに、先願発明は、上記［２］(ii−1)に記載したように、「図柄変動させるコマンドデータ」及び「図柄を揃えて停止させるコマンドデータ」の組み、又は、「図柄変動させるコマンドデータ」及び「図柄を揃えないで停止させるコマンドデータ」の組みといった「複数の制御コマンドで成る制御コマンド群」により動作の指示が実現されるものであって、「制御コマンド群」は、「複数」の「制御コマンド」から成るものであるから、先願発明において、「制御コマンド群」を構成する「制御コマンド」が一致するかを検知することは、すなわち、同時に「制御コマンド群」が一致するかを検知しているといえる。また、「制御コマンド（入力パルス信号及び出力パルス信号）」が一致しないと検知することとコマンドデータが異常送信されていると検知することは同義であるといえる。
　以上より、先願発明の「伝送判定手段」は、本願補正発明の「判定手段」に対応し、さらに、先願発明は、本願補正発明を特定する「前記情報分配手段から供給された制御コマンド群と前記主制御手段自身が先に送信した制御コマンド群とが一致するか否かを判定する」に対応する構成を備えているといえる。
　(vi)上記(v)に加えて、さらに、先願発明は、「判定手段（伝送判定手段）」が一致しないと判定した場合、所定の通信エラー処理としてパチンコ遊技機１０の動作を強制的に停止させるなどの各種形態の処理を実行する手段を備えるから、前記判定手段の判定結果が一致しない旨の判定結果である場合、所定の異常時処理を行う異常時処理手段を備えているという限度で本願補正発明の「前記判定手段の判定結果が一致しない旨の判定結果である場合、所定の異常時処理として前記先に送信した制御コマンド群の再送を行う異常時処理手段」と共通する。
　
　［３］一致点・相違点
　上記［２］に記載した事項より、本願補正発明と先願発明とは以下の点で一致し、また、相違していると認められる。
　
　一致点；
　遊技機全体の動作制御を行なう主制御手段と、この主制御手段から送信される複数の制御コマンドで成る制御コマンド群を受信してこれに応答した周辺装置の動作制御を行なう副制御手段と、を備えた遊技機において、
　前記主制御手段から送信される制御コマンド群を一方向通信で前記副制御手段に供給すると共に、前記主制御手段側にも制御コマンド群を供給する、前記副制御手段とは独立した基板で構成された情報分配手段を備え、
　前記主制御手段は、
　前記情報分配手段から供給された制御コマンド群と前記主制御手段自身が先に送信した制御コマンド群とが一致するか否かを判定する判定手段と、前記判定手段の判定結果が一致しない旨の判定結果である場合、所定の異常時処理を行う異常時処理手段と、を備えた遊技機、である点。
　
　相違点；
　（Ａ）副制御手段について、本願補正発明は、「複数の」副制御手段を備え、主制御手段から送信される制御コマンド群を一方向通信で「前記複数の副制御手段のうちいずれか１つの」副制御手段に供給するのに対し、先願発明は、制御コマンド群が一方向通信で「副制御手段（表示制御基板３４ｂのＣＰＵ３４ｂ３やＲＯＭ３４ｂ４やＲＡＭ３４ｂ５）」に供給されるものの、「複数の」副制御手段が備えられている点、及び、制御コマンド群を「前記複数の副制御手段のうちいずれか１つの」副制御手段に供給する点が明らかでない点。
　（Ｂ）所定の異常時処理として、本願補正発明は、「前記先に送信した制御コマンド群の再送を行う」のに対し、先願発明は、所定の通信エラー処理としてパチンコ遊技機１０の動作を強制的に停止させるなどの各種形態の処理を実行するが、制御コマンド（コマンドデータ等）の再送を行うものではない点。
　
　［４］判断
　（１）相違点（Ａ）について。
　先願当初明細書等の「・・・主基板４０と表示制御基板３４ｂなどの副基板との間では・・・」（上記摘示［１］エ．）という記載から、表示制御基板３４ｂは副基板の一例であるといえ、さらに、先願発明が解決しようとする課題として、「・・・主基板と、伝送路を介してこの主基板から同送信データを受信して対応する処理を実行する副基板とを備える場合において、主基板と副基板の間の通信エラーなどを主基板側で検出してより確実に遊技機の動作を制御することが可能な遊技制御装置の提供を目的」（【０００７】）と記載されており、先願発明が解決しようとする課題は、主基板と表示制御基板３４ｂという特定の副基板の間の通信のみならず、主基板と副基板の間の通信という副基板一般を対象とするものといえることから、先願当初明細書等においては、表示制御基板３４ｂの他にも副基板が存在することが示唆されているといえる。そして、上記［２］（i）に示したとおり、主制御手段が、光・音等の各種演出の制御や入賞した際の払出しの制御等、遊技機の全体にわたる各部の動作制御を司ることは遊技機分野における従来周知の技術であること及び遊技機では表示制御と並行して光や音を用いた各種演出や入賞した際に払い出しを行うことが通常であることを併せて参酌すると、先願当初明細書等においては明記されていないものの、先願発明は、表示制御基板３４ｂの他に、主制御手段から送信されるコマンドに基づいて、光・音等の各種演出の制御や入賞した際の払出しの制御等、遊技機の全体にわたる各部の動作制御を行う「複数の」副制御手段を当然備え、主制御手段から一方向通信で送信される制御コマンド群は、「前記複数の副制御手段のうちいずれか１つの」副制御手段に供給されているものと認められる。
　したがって、上記相違点（Ａ）に係る本願補正発明の構成は、実質的に相違するものとはいえず、先願発明と実質的に同一であるといえる。
　
　（２）相違点（Ｂ）について。
　遊技機の分野では、一般に、通信エラーが発生した異常時に、機器を継続して作動させるために必要となる先に送信した制御コマンドを再送信することは従前周知の技術事項であり、例えば、特開平９−９９１５５号公報（特に【０１９６】、図５７の記載事項を参照）、特開平５−１５６４７号公報（特に【請求項２】、【０１０４】〜【０１０６】、図３２を参照）に示されるとおりである。そして、先願当初明細書等には、「・・・この通信エラー処理としては、各種形態のものを適用可能であって特に限定されない。・・・」（【００２６】）と記載されており、通信エラー処理として各種形態の適用を予定していることから、先願発明の所定の異常時処理として、上記先に送信した制御コマンドの再送信という周知の技術事項の転換をなすことによって新たな効果を奏するものとはいえず、上記先に送信した制御コマンドの再送信という周知の技術事項に単に転換することは、先願発明が、「主基板と副基板の間の通信エラーなどを主基板側で検出してより確実に遊技機の動作を制御する」（上記摘示［１］ア．）という課題を解決するための具体化手段における微差という程度のことである。また、その上、先願発明の液晶表示ユニット３４の図柄の表示制御は、上記［２］（ii−1）に記載したとおり、「図柄変動させるコマンドデータ」及び「図柄を揃えて停止させるコマンドデータ」の組み、又は、「図柄変動させるコマンドデータ」及び「図柄を揃えないで停止させるコマンドデータ」の組みといった「複数の制御コマンドで成る制御コマンド群」により動作の指示が実現されるものであるから、先願発明が上記周知の技術事項である先に送信した制御コマンドの再送信という異常時エラー処理を行う場合は、機器を継続して作動させるために必要となる制御コマンドとして、「複数の制御コマンドで成る制御コマンド群」を選択することは当然のことといえ、上記相違点（Ｂ）に係る本願補正発明の構成は、実質的に相違するものとはいえず、先願発明と実質的に同一であるというべきである。
　
　以上を総合すると、本願補正発明は、先願発明と実質的に同一であるといえる。
　
　［５］むすび
　よって、本願補正発明は、本願の日前の特許出願であって、その出願後に出願公開がされた先願当初明細書等に記載された発明と同一であり、しかも、本願の発明者が先願に係る上記の発明をした者と同一ではなく、またこの出願の時において、その出願人が先願の出願人と同一でもないので、特許法第２９条の２の規定により、特許を受けることができないものである。
　
【４】補正の却下の決定のむすび
　以上のとおりであるから、本件補正は、平成１８年改正前特許法第１７条の２第５項において準用する同法第１２６条第５項の規定に違反するものであり、特許法第１５９条第１項の規定において読み替えて準用する同法第５３条第１項の規定により却下すべきものである。  
　
３．本願発明について　　 
 【１】本願発明　 
　本願の請求項１に係る発明は、平成１６年１１月１７日付の手続補正が上記のとおり却下されているので、平成１６年７月２０日付の手続補正により補正された明細書及び図面の記載からみて、その特許請求の範囲の請求項１に記載された事項により特定される以下のとおりのものである。　 
　「【請求項１】　遊技機全体の動作制御を行なう主制御手段と、この主制御手段から送信される複数の制御コマンドで成る制御コマンド群を受信してこれに応答した周辺装置の動作制御を行なう副制御手段と、を備えた遊技機において、
　前記主制御手段から送信される制御コマンド群を一方向通信で前記副制御手段に供給すると共に、前記主制御手段側にも制御コマンド群を供給する、前記副制御手段とは独立した基板で構成された情報分配手段を備え、
　前記主制御手段は、
　前記情報分配手段から供給された制御コマンド群と前記主制御手段自身が先に送信した制御コマンド群とが一致するか否かを判定する判定手段と、前記判定手段の判定結果が一致しない旨の判定結果である場合、所定の異常時処理を行う異常時処理手段と、を備えたことを特徴とする遊技機。」 （以下、「本願発明」という。） 
 　 
 【２】特許法第２９条の２の適用 
　［１］先願発明
　原査定の拒絶の理由に引用された先願及びその記載事項は、前記２．【３】［１］に記載したとおりである。
　
　［２］対比・判断
  本願発明は、前記２．で検討した本願補正発明から、「副制御手段」を、「複数の副制御手段」と特定した限定を省き、同様に「制御コマンド群を一方向通信で前記副制御手段に供給する」を、「制御コマンド群を一方向通信で前記複数の副制御手段のうちいずれか１つの前記副制御手段に供給する」と特定した限定を省き、さらに、「所定の異常時処理」を、「所定の異常時処理として前記先に送信した制御コマンド群の再送」と特定した限定を省いたものである。
　そうすると、本願発明の構成要素を全て含み、さらに、他の構成要件を付加したものに相当する本願補正発明が、上記２．【３】に説示したように、先願発明と実質的に同一であるから、本願発明は、同様の理由により、先願発明と実質的に同一である。
　
　［３］むすび
　よって、本願発明は、本願の日前の特許出願であって、その出願後に出願公開がされた先願当初明細書等に記載された発明と同一であり、しかも、本願の発明者が先願に係る上記の発明をした者と同一ではなく、またこの出願の時において、その出願人が先願の出願人と同一でもないので、特許法第２９条の２の規定により、特許を受けることができないものである。
　
　よって、結論のとおり審決する。